(57)【特許請求の範囲】
【請求項１】
盗難防止装置を吊り下げ陳列商品に取り付けるためのアタッチメントであって、
前記盗難防止装置を保持する保持部と、
前記盗難防止装置に備える出没可能な検出スイッチを露出させる露出部と、
前記吊り下げ陳列商品に備える貫通孔に挿入して前記アタッチメントを前記吊り下げ陳列商品に固定するための固定部と
を備え、
前記固定部により前記吊り下げ陳列商品に固定された状態では前記検出スイッチが没入して前記盗難防止装置が監視状態となり、
前記固定部により前記吊り下げ陳列商品に固定された状態が解除されると、前記検出スイッチを突出させて前記盗難防止装置による警報機能を作動させる
吊り下げ陳列商品用盗難防止装置アタッチメント。
【請求項２】
前記固定部は、突起部と、前記突起部を嵌合させる収容部とで構成され、
前記収容部が前記露出部を兼ねており、前記突起部が前記収容部に嵌合すると、前記検出スイッチが押圧され前記盗難防止装置を監視状態とする
請求項１に記載のブリスターケース用盗難防止装置アタッチメント。
【請求項３】
前記収容部は円筒状に形成され、
前記突起部は、前記収容部の内径に対応する外径を有するリング状の突起形状の嵌合部と、該嵌合部の内周側に位置するピン状の押圧部とから構成され、
前記検出スイッチは、前記収容部の内周側に位置し、前記嵌合部が前記収容部に嵌合した状態において、前記押圧部が前記検出スイッチを押圧する
請求項２に記載の吊り下げ陳列商品用盗難防止装置アタッチメント。
【請求項４】
ヒンジを介して第１板状部材と第２板状部材とが開閉自在に連結され、
前記第１板状部材には前記突起部を備え、前記第２板状部材には前記収容部を備え、
前記第１板状部材と前記第２板状部材とを前記ヒンジを介して折りたたんだ状態では、前記突起部が前記収容部に嵌合する
請求項２又は３のいずれか１項に記載の吊り下げ陳列商品用盗難防止装置アタッチメント。
【請求項５】
陳列用ロッドに挿通するための挿通孔を備えた
請求項１、２、３又は４のいずれか１項に記載の吊り下げ陳列商品用盗難防止装置アタッチメント。
【発明の詳細な説明】
【技術分野】
【０００１】
本発明は、吊り下げられて陳列される商品に盗難防止装置を取り付けるためのアタッチメントに関する。
【背景技術】
【０００２】
各種の商品が陳列され販売される店舗では、商品の盗難を防止するために、各商品に自鳴式盗難防止装置が取り付けられて使用されている。監視状態にセットされた自鳴式盗難防止装置が取り付けられたままの状態で商品が店舗の出入口に設けられたゲートを通過しようとすると、自鳴式盗難防止装置がゲートからの電波を受信し内蔵したブザーが鳴る等して店員に報知し、盗難を未然に防止している。また、自鳴式盗難防止装置には、不正に物品から取り外されたことを検知するための検出スイッチを備えており、物品から取り外されたことを検出した場合にも、ブザーを鳴らして店員に知らせることができる
【０００３】
商品には、売り場のロッドに挿入され吊り下げられて陳列されるタイプのものがある。そのような商品においても、自鳴式盗難防止装置は、陳列される商品にラップによって巻き付ける等することによって商品に固定される（例えば特許文献１参照）。
（例えば特許文献１参照）。
【先行技術文献】
【特許文献】
【０００４】
【特許文献１】特開平９−１８５７８３号公報
【発明の概要】
【発明が解決しようとする課題】
【０００５】
しかし、ラップ等によって巻き付けると、着脱に手間がかかる上に、見栄えが悪く、また、ラップ等に費用がかかるとともに使用済みのラップ等を廃棄しなければならない。
さらに、吊り下げ陳列商品の場合は、その商品の裏面側に盗難防止装置を取り付けることになるため、全体の厚みが増して販売展示数量が少なくなるという問題もある。
【０００６】
本発明は、このような問題にかんがみなされたもので、吊り下げ陳列商品に盗難防止装置を取り付ける場合において、着脱性及び見栄えを改善し、費用及び廃棄物を低減することを目的とする。
【課題を解決するための手段】
【０００７】
本発明は、盗難防止装置を吊り下げ陳列商品に取り付けるためのアタッチメントであって、前記盗難防止装置を保持する保持部と、前記盗難防止装置に備える出没可能な検出スイッチを露出させる露出部と、前記吊り下げ陳列商品に備える貫通孔に挿入して前記アタッチメントを前記吊り下げ陳列商品に固定するための固定部とを備え、前記固定部により前記吊り下げ陳列商品に固定された状態では前記検出スイッチが没入して前記盗難防止装置が監視状態となり、前記固定部により前記吊り下げ陳列商品に固定された状態が解除されると、前記検出スイッチを突出させて前記盗難防止装置による警報機能を作動させる。
前記固定部は、突起部と、前記突起部を嵌合させる収容部とで構成され、前記収容部が前記露出部を兼ねており、前記突起部が前記収容部に嵌合すると、前記検出スイッチが押圧され前記盗難防止装置を監視状態とすることが望ましい。
前記収容部は円筒状に形成され、前記突起部は、前記収容部の内径に対応する外径を有するリング状の突起形状の嵌合部と、該嵌合部の内周側に位置するピン状の押圧部とから構成され、前記検出スイッチは、前記収容部の内周側に位置し、前記嵌合部が前記収容部に嵌合した状態において、前記押圧部が前記検出スイッチを押圧することが望ましい。
ヒンジを介して第１板状部材と第２板状部材とが開閉自在に連結され、前記第１板状部材には前記突起部を備え、前記第２板状部材には前記収容部を備え、前記第１板状部材と前記第２板状部材とを前記ヒンジを介して折りたたんだ状態では、前記突起部が前記収容部に嵌合することが望ましい。
アタッチメントには、陳列用ロッドに挿通するための挿通孔を備えることが望ましい。
【発明の効果】
【０００８】
本発明では、吊り下げ陳列商品に備える貫通孔に固定部を挿入するだけでアタッチメントを吊り下げ陳列商品に固定することができ、それによって盗難防止装置を監視状態とし、アタッチメントを吊り下げ陳列商品から取り外すと盗難防止装置が警報状態となる。したがって、吊り下げ陳列商品に対するアタッチメントの着脱時の操作性が高く、ラップは不要で廃棄物もないため費用が低減され、見栄えも改善される。
【０００９】
固定部が突起部と突起部を嵌合させる収容部とで構成され、収容部が露出部を兼ねており、突起部が収容部に嵌合すると検出スイッチが押圧され盗難防止装置を監視状態とする構成とすることにより、固定と同時に検出スイッチが監視状態となり、固定の解除と同時に検出スイッチが警報状態となるため、操作性が向上する。
【００１０】
収容部が円筒状に形成され、突起部が収容部の内径に対応する外径を有するリング状の突起形状の嵌合部と、嵌合部の内周側に位置するピン状の押圧部とから構成され、検出スイッチが収容部の内周側に位置し、嵌合部が収容部に嵌合した状態において押圧部が検出スイッチを押圧する構成とすることにより、嵌合部が収容部に嵌合すると同時に検出スイッチが押圧部によって押圧され、嵌合が解除されると検出スイッチの押圧も解除されるため、操作性がより向上する。
【００１１】
ヒンジを介して第１板状部材と第２板状部材とが開閉自在に連結され、第１板状部材には前記突起部を備え、第２板状部材には前記収容部を備え、第１板状部材と第２板状部材とをヒンジを介して折りたたんだ状態では突起部が収容部に嵌合する構成とすることにより、商品に対するアタッチメントの着脱時における操作性がさらに向上する。
【００１２】
アタッチメントが陳列用ロッドに通す挿通孔を備える構成とすることにより、商品の貫通孔に固定部を通しても、挿通孔を陳列用ロッドに挿通することで商品を陳列ですることができる。また、盗難防止装置及びアタッチメントを陳列用ロッドにぶら下げることができるため、かさばるのを防ぐことができる。
【図面の簡単な説明】
【００１３】
【図１】吊り下げ陳列商品の第１例を示す斜視図である。
【図２】アタッチメントの第１実施形態の表面側を示す斜視図である。
【図３】アタッチメントの第１実施形態の裏面側を示す斜視図である。
【図４】アタッチメントの第１実施形態において第１板状部材と第２板状部材とを開いた状態を示す断面図である。
【図５】アタッチメントの第１実施形態において第１板状部材と第２板状部材とを閉じた状態を示す断面図である。
【図６】アタッチメントの第１実施形態において商品の貫通孔と第２板状部材の収容部との位置を合わせた状態を示す断面図である。
【図７】アタッチメントを商品に取り付けてロッドに引っ掛けた状態を示す断面図である。
【図８】アタッチメントの第２実施形態の表面側を示す斜視図である。
【図９】アタッチメントの第３実施形態において第１板状部材と第２板状部材とを離した状態を示す断面図である。
【図１０】アタッチメントの第３実施形態において第１板状部材と第２板状部材とを閉じた状態を示す断面図である。
【図１１】アタッチメントの第４実施形態において第１板状部材と第２板状部材とを開いた状態を示す断面図である。
【図１２】アタッチメントの第４実施形態において第１板状部材と第２板状部材とを閉じた状態を示す断面図である。
【図１３】吊り下げ陳列商品の第２例を示す斜視図である。
【図１４】吊り下げ陳列商品の第３例を示す斜視図である。
【図１５】吊り下げ陳列商品の第４例を示す斜視図である。
【発明を実施するための形態】
【００１４】
１  第１実施形態
図１に示す商品１は、店舗の売り場に設けられたロッド２に吊り下げられて陳列される商品の一例であり、厚紙等からなる板状部材１０とブリスターケース１１と呼ばれる透明のプラスチック製ケースとを貼り合わせる等して一体化させて構成されている。商品１には、ロッド２に挿通するための貫通孔１２を備えている。ブリスターケース１１には、製品が収納される空間である収納部１１０が形成されている。
【００１５】
図２及び図３に示すアタッチメント３は、図１に示したようなロッド２に挿通されて吊り下げられて陳列されるタイプの商品１に盗難防止装置を取り付けるために用いられる。図２はアタッチメント３の一方の面側（以下、「表面３ａ」と記す。）を示し、図３はアタッチメント３の他方の面側（以下、「裏面３ｂ」と記す。）を示しており、アタッチメント３は、第１板状部材３１と第２板状部材３２とがヒンジ３３を介して開閉可能に連結されている。
【００１６】
第１板状部材３１の表面３１ａの長手方向中央部には突起部３４が設けられている。一方、第２板状部材３２の表面３２ａには、ヒンジ３３において第１板状部材３１を折りたたんだ際に突起部３４に対面する位置に、突起部３４を嵌合させて収容する収容部３５が設けられている。
なお、第１板状部材３１の裏面３１ｂは、平面状に形成されている。
【００１７】
突起部３４は、収容部３５の内径に対応して当該内径よりも若干大きな外径を有し第１板状部材３１の表面３１ａから垂直方向にリング状に突出した突起からなる嵌合部３４１と、嵌合部３４１の内周側に位置し第１板状部材３１の表面３１ａから垂直方向に突出するピン状の押圧部３４２とから構成されている。嵌合部３４１は、リング状の突起を周方向に複数に分割して形成された複数の分割嵌合部３４１ａによって構成され、これにより各分割嵌合部３４１ａが内周側に撓みやすくなっており、嵌合部３４１が収容部３５の内側に収容され固定されやすくなっている。一方、押圧部３４２は、嵌合部３４１の内周側中心部に設けられている。
【００１８】
第２板状部材３２の裏面３２ｂ側には、盗難防止装置４を保持する保持部３６を備えている。図示の例における保持部３６は、第２板状部材３２の長手方向両端部にフック状の保持部材を備えた構成となっている。保持部３６において盗難防止装置４を保持した状態では、図４に示すように、盗難防止装置４の出没可能な検出スイッチ４０が収容部３５に収容されている。すなわち、収容部３５は、検出スイッチ４０を第２板状部材３２の表面３２ａ側に露出させるための露出部としても機能する。
【００１９】
図５に示すように、ヒンジ３３を折りたたんで突起部３４を収容部３５に嵌合させることにより、第１板状部材３１の表面３１ａと第２板状部材３２の表面３２ａとが対面した状態で固定される。したがって、突起部３４と収容部３５とで、第１板状部材３１と第２板状部材３２とを固定する固定部３７が構成される。また、このとき、押圧部３４２が検出スイッチ４０を押圧して没入させる。
【００２０】
図１に示した商品１にアタッチメント３を取り付ける場合は、図６に示すように、収容部３５と商品１に形成された貫通孔１２との位置を合わせた状態で、図７に示すように、第１板状部材３１の表面３１ａと第２板状部材３２の表面３２ａとが対面するようにヒンジ３３を折り曲げ、嵌合部３４１を収容部３５に挿入する。そうすると、嵌合部３４１と収容部３５とが貫通孔１２の内側において固定され、これによって、アタッチメント３が商品１に取り付けられる。こうして、固定部３７によってアタッチメント３が商品１に固定される。また、嵌合部３４１を収容部３５に挿入することにより、押圧部３４２が検出スイッチ４０を押圧し、盗難防止装置が監視状態となる。
次に、図７に示すように、アタッチメント３に備えた挿通孔３８をロッド２に挿通することにより、アタッチメント３を介して盗難防止装置４が取り付けられた商品１が陳列される。
【００２１】
２  第２実施形態
図８に示すアタッチメント５は、図１―７に示したヒンジ３３を備えていない点以外は、アタッチメント３と同様に構成されている。すなわち、第１板状部材３１と第２板状部材３２とがつながっておらず、別体に構成されている。
【００２２】
このアタッチメント５においても、収容部３５と商品１に形成された貫通孔１２との位置を合わせた状態で、第１板状部材３１の表面３１ａと第２板状部材３２の表面３２ａとを対面させ、嵌合部３４１を収容部３５に挿入する。そうすると、嵌合部３４１と収容部３５とが貫通孔１２の内側において固定され、これによって、アタッチメント３が商品１に取り付けられる。そして、挿通孔３８をロッド２に挿通することにより、アタッチメント５を介して盗難防止装置４が取り付けられた商品１が陳列される。
【００２３】
３  第３実施形態
図９に示すアタッチメント７は、図１―７に示したアタッチメント３のヒンジ３３に相当するものを備えていない。また、第１板状部材３１に備えた突起部６４及び第２板状部材３２に備えた収容部６５の形状が、図１−７に示したアタッチメント３及び図８に示したアタッチメント５と異なる。
【００２４】
突起部６４は、第１板状部材３１の表面３１ａから垂直方向に突出した嵌合押圧部６４１のみからなり、この嵌合押圧部６４１は、柱状の基部から拡径して形成された頭部６４２を有している。一方、第２板状部材３２の収容部６５は、筒状に形成された空洞部６５１を備え、空洞部６５１の先端部６５２が縮径して形成されている。
【００２５】
図１０に示すように、収容部６５と突起部６４とを対面させ、嵌合押圧部６４１を空洞部６５１に挿入すると、嵌合押圧部６４１の頭部６４２が空洞部６５１の先端部６５２によって係止され、これによってアタッチメント６が商品１に取り付けられるとともに、頭部６４２が検出スイッチ４０を押圧して盗難防止装置４を監視状態とする。
そして、挿通孔３８をロッド２に挿通させることにより、アタッチメント７を介して盗難防止装置４が取り付けられた商品１が陳列される。
【００２６】
４  第４実施形態
図１１に示すアタッチメント８は、収容部６５とは別に露出部８５を備えている例である。すなわち、露出部８５において検出スイッチ４０が露出している。
【００２７】
図１２に示すように、収容部６５と商品１に形成された貫通孔１２との位置を合わせた状態で、ヒンジ８３を折り曲げて第１板状部材３１の表面３１ａと第２板状部材３２の表面３２ａとを対面させ、嵌合押圧部６４１の頭部６４２を収容部６５の空洞部６５１に収容すると、頭部６４２が空洞部６５１の先端部６５２によって係止される。そして、この状態では、盗難防止装置４の検出スイッチ４０が嵌合押圧部６４１によって押圧されるのではなく、第１板状部材３１と第２板状部材３２とによって挟まれ貫通孔１２が収容部６５に挿入された商品１によって押圧される。図示の例では、検出スイッチ４０は、商品１のブリスターケース１１によって押圧されて監視状態となる。なお、商品１によって検出スイッチ４０を押圧するために、第１板状部材３１と第２板状部材３２との距離が近くなるように、ヒンジ８３はヒンジ３３よりも短く、構成されている。
そして、この状態でロッド２に挿通孔３８を挿通することにより、アタッチメント８を介して盗難防止装置４が取り付けられたアタッチメント８が陳列される。
【００２８】
なお、アタッチメント８において、突起部６４と収容部６５とからなる固定部の構造を、図５及び図７に示した固定部３７と同様の構造としてもよい。
【００２９】
以上のように、いずれの実施形態においても、吊り下げて陳列される商品１に備える貫通孔１２に固定部を挿入するだけでアタッチメントを商品１に固定することができ、それによって盗難防止装置を監視状態とし、アタッチメントを商品１から取り外すと盗難防止装置が警報状態となる。したがって、商品１に対するアタッチメントの着脱時の操作性が高く、ラップは不要で廃棄物もないために費用が低減され、見栄えも改善される。
【００３０】
なお、吊り下げて陳列される商品としては、例えば図１３に示す箱型商品１ａ、図１４に示す袋型商品１ｂ、図１５に示す板型商品１ｃなどもある。
図１３に示す箱型商品１ａは、製品が収容される箱部１０ａと、箱部１０ａの上部から突出した突出部１１ａと、突出部１１ａの表裏を貫通する貫通孔１２ａとを備えている。
図１４に示す袋型商品１ｂは、製品が収容される袋部１０ｂと、袋部１０ｂの上部から突出した突出部１１ｂと、突出部１１ｂの表裏を貫通する貫通孔１２ｂとを備えている。
図１５に示す板型商品１ｃは、例えば厚紙からなるプリペイドカードであり、板部１０ｃと、板部１０ｃの表裏を貫通する貫通孔１２ｃとを備えている。
【００３１】
図１３、１４及び１５に示す貫通孔１２ａ、１２ｂ、１２ｃにおいて、アタッチメント３、５の収容部３５と突起部３４とを嵌合させ、また、アタッチメント６、７、８の収容部６５と突起部６４とを嵌合させることにより、アタッチメント３、５、６、７、８を、箱型商品１ａ、袋型商品１ｂ、板型商品１ｃに取り付けることができる。
【００３２】
なお、アタッチメント３、５、６、７及び８に備える挿通孔３８は、フック形状の内側に形成された空間でもよい。
【符号の説明】
【００３３】
１：商品  １ａ：箱型商品  １ｂ：袋型商品  １ｃ：板型商品
１０：板状部材  １０ａ：箱部  １０ｂ：袋部  １０ｃ：板部
１１：ブリスターケース  １１０  ：収納部  １１ａ：突出部  １１ｂ  ：突出部
１２：貫通孔  １２ａ：貫通孔  １２ｂ：貫通孔  １２ｃ：貫通孔
２：ロッド
３、５、７、８：アタッチメント
３ａ：表面  ３ｂ：裏面
３１：第１板状部材  ３１ａ：表面  ３１ｂ：裏面
３２：第２板状部材  ３２ａ：表面  ３２ｂ    ：裏面
３３：ヒンジ
３４：突起部  ３４１：嵌合部  ３４１ａ：分割嵌合部  ３４２：押圧部
３５：収容部  ３６：保持部  ３７：固定部  ３８：挿通孔
４：盗難防止装置  ４０：検出スイッチ
６４：突起部  ６４１  ：嵌合押圧部  ６４２  ：頭部
６５：収容部  ６５１  ：空洞部  ６５２  ：先端部
８３：ヒンジ  ８５  ：露出部
【要約】
【課題】吊り下げ陳列商品に盗難防止装置を取り付ける場合において、着脱性及び見栄えを改善し、費用及び廃棄物を低減する。
【解決手段】吊り下げ陳列商品１に備える貫通孔１２に固定部３７を挿入するだけでアタッチメント３を吊り下げ陳列商品１に固定することができ、それによって盗難防止装置４を監視状態とし、アタッチメント３を吊り下げ陳列商品１から取り外すと盗難防止装置４が警報状態となる。
【選択図】図７【図１】
0006941906.tif 000002
【図２】
0006941906.tif 000003
【図３】
0006941906.tif 000004
【図４】
0006941906.tif 000005
【図５】
0006941906.tif 000006
【図６】
0006941906.tif 000007
【図７】
0006941906.tif 000008
【図８】
0006941906.tif 000009
【図９】
0006941906.tif 000010
【図１０】
0006941906.tif 000011
【図１１】
0006941906.tif 000012
【図１２】
0006941906.tif 000013
【図１３】
0006941906.tif 000014
【図１４】
0006941906.tif 000015
【図１５】
0006941906.tif 000016